【手続補正書】
【提出日】平成30年1月11日(2018.1.11)
【手続補正１】
【補正対象書類名】特許請求の範囲
【補正対象項目名】全文
【補正方法】変更
【補正の内容】
【特許請求の範囲】
【請求項１】
第１識別情報の可変表示を行う第１可変表示手段と、第２識別情報の可変表示を行う第２可変表示手段とのいずれかに表示結果として特定表示結果が表示されたときに、遊技者にとって有利な有利状態に制御可能な遊技機であって、
前記有利状態の終了後に、前記第２可変表示手段の可変表示の実行頻度が通常状態よりも高くなる特別状態に制御可能な状態制御手段と、
前記第１可変表示手段の可変表示時間を決定する第１可変表示時間決定手段と、
前記第２可変表示手段の可変表示時間を決定する第２可変表示時間決定手段とを備え、
前記特別状態は、第１特別状態と、前記第１特別状態よりも前記有利状態になる割合が高い第２特別状態と、を含み、
前記状態制御手段は、
前記第２可変表示手段に前記特定表示結果が表示されたときには、前記第１可変表示手段に前記特定表示結果が表示されたときに比べて高い割合で、前記有利状態の終了後に前記第２特別状態に制御し、
前記第１可変表示手段に前記特定表示結果が表示されたときには、前記第２可変表示手段に前記特定表示結果が表示されたときに比べて高い割合で、前記有利状態の終了後に前記第１特別状態に制御し、
前記第１特別状態及び前記第２特別状態のいずれかに制御されているときの前記第１可変表示手段の最短の可変表示時間は、前記第２可変表示手段の最短の可変表示時間よりも短く、
前記第２可変表示時間決定手段は、前記特別状態に制御されているとき、未だ開始され
ていない前記第２可変表示手段の可変表示数に応じて、前記第２可変表示手段の可変表示時間を決定し、
前記第１可変表示時間決定手段は、前記特別状態に制御されているとき、未だ開始され
ていない前記第１可変表示手段の可変表示数がいずれであるかにかかわらずに、前記第１可変表示手段の可変表示時間を決定する、
ことを特徴とする遊技機。
【請求項２】
第１始動条件の成立に基づいて第１識別情報の可変表示を行う第１可変表示手段と、第２始動条件の成立に基づいて第２識別情報の可変表示を行う第２可変表示手段とのいずれかに表示結果として特定表示結果が表示されたときに、遊技者にとって有利な有利状態に制御可能な遊技機であって、
前記有利状態の終了後に、前記第２始動条件の成立頻度が通常状態よりも高くなる特別状態に制御可能な状態制御手段と、
前記第１可変表示手段の可変表示時間を決定する第１可変表示時間決定手段と、
前記第２可変表示手段の可変表示時間を決定する第２可変表示時間決定手段とを備え、
前記特別状態は、第１特別状態と、前記第１特別状態よりも前記有利状態になる割合が高い第２特別状態と、を含み、
前記状態制御手段は、
前記第２可変表示手段の表示結果として前記特定表示結果が表示されたときには、前記第１可変表示手段の表示結果として前記特定表示結果が表示されたときに比べて高い割合で、前記有利状態の終了後に前記第２特別状態に制御し、
前記第１可変表示手段の表示結果として前記特定表示結果が表示されたときには、前記第２可変表示手段の表示結果として前記特定表示結果が表示されたときに比べて高い割合で、前記有利状態の終了後に前記第１特別状態に制御し、
前記第１特別状態及び前記第２特別状態のいずれかに制御されているときの前記第１可変表示手段の可変表示時間は、前記第１始動条件が成立したが前記有利状態の終了時において未だ開始されていない前記第１識別情報の可変表示が、前記第２始動条件が成立する前に実行されるように、決定され、
前記第２可変表示時間決定手段は、前記特別状態に制御されているとき、未だ開始され
ていない前記第２可変表示手段の可変表示数に応じて、前記第２可変表示手段の可変表示時間を決定し、
前記第１可変表示時間決定手段は、前記特別状態に制御されているとき、未だ開始され
ていない前記第１可変表示手段の可変表示数がいずれであるかにかかわらずに、前記第１可変表示手段の可変表示時間を決定する、
ことを特徴とする遊技機。
【請求項３】
遊技媒体が入賞可能な可変入賞装置と、
第１条件が成立したときに、第１の報知を行う第１報知手段と、
前記第１条件とは異なる第２条件が成立したときに、第２の報知を行う第２報知手段と、を備え、
前記第１条件は、前記可変入賞装置内に設けられた特定領域を遊技媒体が通過したことで成立し、
前記第１条件と前記第２条件とが成立したときには、前記第１報知手段による前記第１の報知と、前記第２報知手段による前記第２の報知とのうちのいずれか一方を実行可能である、
ことを特徴とする請求項１または２に記載の遊技機。
【手続補正２】
【補正対象書類名】明細書
【補正対象項目名】０００７
【補正方法】変更
【補正の内容】
【０００７】
（Ａ）上記目的を達成するため、第１の観点に係る遊技機は、
第１識別情報の可変表示を行う第１可変表示手段と、第２識別情報の可変表示を行う第２可変表示手段とのいずれかに表示結果として特定表示結果が表示されたときに、遊技者にとって有利な有利状態に制御可能な遊技機であって、
前記有利状態の終了後に、前記第２可変表示手段の可変表示の実行頻度が通常状態よりも高くなる特別状態に制御可能な状態制御手段と、
前記第１可変表示手段の可変表示時間を決定する第１可変表示時間決定手段と、
前記第２可変表示手段の可変表示時間を決定する第２可変表示時間決定手段とを備え、
前記特別状態は、第１特別状態と、前記第１特別状態よりも前記有利状態になる割合が高い第２特別状態と、を含み、
前記状態制御手段は、
前記第２可変表示手段に前記特定表示結果が表示されたときには、前記第１可変表示手段に前記特定表示結果が表示されたときに比べて高い割合で、前記有利状態の終了後に前記第２特別状態に制御し、
前記第１可変表示手段に前記特定表示結果が表示されたときには、前記第２可変表示手段に前記特定表示結果が表示されたときに比べて高い割合で、前記有利状態の終了後に前記第１特別状態に制御し、
前記第１特別状態及び前記第２特別状態のいずれかに制御されているときの前記第１可変表示手段の最短の可変表示時間は、前記第２可変表示手段の最短の可変表示時間よりも短く、
前記第２可変表示時間決定手段は、前記特別状態に制御されているとき、未だ開始され
ていない前記第２可変表示手段の可変表示数に応じて、前記第２可変表示手段の可変表示時間を決定し、
前記第１可変表示時間決定手段は、前記特別状態に制御されているとき、未だ開始され
ていない前記第１可変表示手段の可変表示数がいずれであるかにかかわらずに、前記第１可変表示手段の可変表示時間を決定する、
ことを特徴とする。
（Ｂ）上記目的を達成するため、第２の観点に係る遊技機は、
第１始動条件の成立に基づいて第１識別情報の可変表示を行う第１可変表示手段と、第２始動条件の成立に基づいて第２識別情報の可変表示を行う第２可変表示手段とのいずれかに表示結果として特定表示結果が表示されたときに、遊技者にとって有利な有利状態に制御可能な遊技機であって、
前記有利状態の終了後に、前記第２始動条件の成立頻度が通常状態よりも高くなる特別状態に制御可能な状態制御手段と、
前記第１可変表示手段の可変表示時間を決定する第１可変表示時間決定手段と、
前記第２可変表示手段の可変表示時間を決定する第２可変表示時間決定手段とを備え、
前記特別状態は、第１特別状態と、前記第１特別状態よりも前記有利状態になる割合が高い第２特別状態と、を含み、
前記状態制御手段は、
前記第２可変表示手段の表示結果として前記特定表示結果が表示されたときには、前記第１可変表示手段の表示結果として前記特定表示結果が表示されたときに比べて高い割合で、前記有利状態の終了後に前記第２特別状態に制御し、
前記第１可変表示手段の表示結果として前記特定表示結果が表示されたときには、前記第２可変表示手段の表示結果として前記特定表示結果が表示されたときに比べて高い割合で、前記有利状態の終了後に前記第１特別状態に制御し、
前記第１特別状態及び前記第２特別状態のいずれかに制御されているときの前記第１可変表示手段の可変表示時間は、前記第１始動条件が成立したが前記有利状態の終了時において未だ開始されていない前記第１識別情報の可変表示が、前記第２始動条件が成立する前に実行されるように、決定され、
前記第２可変表示時間決定手段は、前記特別状態に制御されているとき、未だ開始され
ていない前記第２可変表示手段の可変表示数に応じて、前記第２可変表示手段の可変表示時間を決定し、
前記第１可変表示時間決定手段は、前記特別状態に制御されているとき、未だ開始され
ていない前記第１可変表示手段の可変表示数がいずれであるかにかかわらずに、前記第１可変表示手段の可変表示時間を決定する、
ことを特徴とする。
（１）上記目的を達成するため、第３の観点に係る遊技機は、
第１識別情報（例えば、第１特図など）の可変表示を行う第１可変表示手段（例えば、第１特別図柄表示装置４Ａなど）と、第２識別情報（例えば、第２特図など）の可変表示を行う第２可変表示手段（例えば、第２特別図柄表示装置４Ｂなど）とのいずれかに表示結果として特定表示結果（例えば、大当り図柄となる特別図柄など）が表示されたときに、遊技者にとって有利な有利状態（例えば、大当り遊技状態など）に制御可能な遊技機（例えば、パチンコ遊技機１など）であって、
前記有利状態の終了後に、前記第２識別情報の実行頻度が通常状態よりも高くなる特別状態（例えば、高ベース状態など）に制御可能な状態制御手段（例えば、ステップＳ３６２の処理を実行することによって高開放制御を伴う時短制御を行う遊技制御用マイクロコンピュータ１００のＣＰＵ１０３など）を備え、
前記特別状態は、第１特別状態（例えば、低確高ベース状態など）と、前記第１特別状態よりも前記有利状態になる割合が高い第２特別状態（例えば、高確高ベース状態など）と、を含み、
前記状態制御手段は、
前記第２識別情報の表示結果として前記特定表示結果が表示されたときには、前記第１識別情報の表示結果として前記特定表示結果が表示されたときに比べて高い割合で、前記有利状態の終了後に前記第２特別状態に制御し、
前記第１識別情報の表示結果として前記特定表示結果が表示されたときには、前記第２識別情報の表示結果として前記特定表示結果が表示されたときに比べて高い割合で、前記有利状態の終了後に前記第１特別状態に制御し（例えば、図１０（Ｂ）及び図１６を参照）、
前記第１特別状態及び前記第２特別状態のいずれかに制御されているときの前記第１識別情報についての最短の可変表示時間は、前記第２識別情報についての最短の可変表示時間よりも短い時間に設定されている（例えば、図４、図１３（Ｂ１）、（Ｂ２）及び図２１（Ｃ）、（Ｈ）のＰＢ１−１及びＰＢ２−１を参照）、
ことを特徴とする。
【手続補正３】
【補正対象書類名】明細書
【補正対象項目名】０００９
【補正方法】変更
【補正の内容】
【０００９】
（２）上記目的を達成するため、第４の観点に係る遊技機は、
第１始動条件の成立（例えば、遊技球が第１始動口スイッチ２２Ａによって検出されたことなど）に基づいて第１識別情報（例えば、第１特図など）の可変表示を行う第１可変表示手段（例えば、第１特別図柄表示装置４Ａなど）と、第２始動条件の成立（例えば、遊技球が第２始動口スイッチ２２Ｂによって検出されたことなど）に基づいて第２識別情報（例えば、第２特図など）の可変表示を行う第２可変表示手段（例えば、第２特別図柄表示装置４Ｂなど）とのいずれかに表示結果として特定表示結果（例えば、大当り図柄となる特別図柄など）が表示されたときに、遊技者にとって有利な有利状態（例えば、大当り遊技状態など）に制御可能な遊技機（例えば、パチンコ遊技機１など）であって、
前記有利状態の終了後に、前記第２始動条件の成立頻度が通常状態よりも高くなる特別状態（例えば、高ベース状態など）に制御可能な状態制御手段（例えば、ステップＳ３６２の処理を実行することによって高開放制御を伴う時短制御を行う遊技制御用マイクロコンピュータ１００のＣＰＵ１０３など）を備え、
前記特別状態は、第１特別状態（例えば、低確高ベース状態など）と、前記第１特別状態よりも前記有利状態になる割合が高い第２特別状態（例えば、高確高ベース状態など）と、を含み、
前記状態制御手段は、
前記第２識別情報の表示結果として前記特定表示結果が表示されたときには、前記第１識別情報の表示結果として前記特定表示結果が表示されたときに比べて高い割合で、前記有利状態の終了後に前記第２特別状態に制御し、
前記第１識別情報の表示結果として前記特定表示結果が表示されたときには、前記第２識別情報の表示結果として前記特定表示結果が表示されたときに比べて高い割合で、前記有利状態の終了後に前記第１特別状態に制御し（例えば、図１０（Ｂ）及び図１６を参照）、
前記第１特別状態及び前記第２特別状態のいずれかに制御されているときの前記第１識別情報についての可変表示時間は、前記第１始動条件が成立したが前記有利状態の終了時において未だ開始されていない複数の前記第１識別情報の可変表示が、前記第２始動条件が成立する前に実行されるように、設定されている（例えば、図２１（Ｃ）、（Ｇ）に示す普通図柄の可変表示が開始されてから第２始動入賞口が開放状態へと変化するまでの期間Ｔと、大当り終了時点から４回分の第１特図の可変表示が終了するまでの期間と、の関係を参照）、
ことを特徴とする。